(57)【要約】      （修正有）【課題】利用者が編集等をし易く、資料全体のデータ量が大きくならず、かつ、説明に不要な間隙が生ぜず、利用者の顧客等の相手方に対する説明の効果が低下しない携帯端末装置等を提供する。【解決手段】携帯端末装置は、表示部を有する。表示部によって表示されるスライド情報は、１画面毎に独立して記憶される複数のスライド情報を有し、スライド情報を任意に組み合わせることができる。スライド情報は、主な説明に用いられる主説明スライド情報と、主説明スライド情報に関連する情報である関連スライド情報を有する。スライド情報は、主説明スライド情報と関連付けて記憶することができると共に、関連スライド情報から１画面の遷移で、関連スライド情報と関連付けられている主説明スライド情報を表示部に表示させる。【選択図】図６
2019075158.tif 000002
【特許請求の範囲】
【請求項１】
説明用資料であるスライド情報を管理するスライド情報管理装置と、
前記スライド情報管理装置と通信可能な構成となっている説明者が所持する携帯端末装置と、を備えるスライド情報管理システムであって、
前記携帯端末装置は、
各種情報を表示する表示部を有し、
前記表示部に表示される前記スライド情報が、１画面毎の前記スライド情報として、独立して記憶される複数の前記スライド情報を有し、これらの前記スライド情報を任意に組み合わせることが可能な構成となっており、
前記スライド情報は、主な説明に用いられる主説明スライド情報と、前記主説明スライド情報に関連する情報である関連スライド情報としての文献スライド情報を有し、
複数の前記主説明スライド情報の表示順を選択し、記憶させると共に、複数の前記文献スライド情報の表示順を選択し、記憶させ、
前記主説明スライド情報毎に関連付ける複数の前記文献スライド情報をグループとして指定し、記憶し、
前記主説明スライド情報が表示順に前記表示部に表示されると、この前記主説明スライド情報と関連付けられている前記文献スライド情報の前記グループである参照グループのマークを当該主説明スライド情報に表示し、
前記主説明スライド情報の表示中に、前記マークが選択されると、前記関連付けられている前記参照グループの各前記文献スライド情報が、戻すマークと共に表示され、
前記戻すマークが選択されると、前記表示順に表示中であり、前記説明者が説明中であった直近の元の前記主説明スライド情報が、前記表示部に１画面の遷移で表示される構成となっていることを特徴とするスライド情報管理システム。
【請求項２】
前記主説明スライド情報には、複数の前記参照グループのマークが同時に表示され、
前記表示された前記複数の参照グループのマークのうち、選択された前記マークは、次回から他の前記マークより優先的に前記主説明スライド情報に表示され、前記スライド情報が、ＰＤＦ（「Ｐｏｒｔａｂｌｅ  Ｄｏｃｕｍｅｎｔ  Ｆｏｒｍａｔ」ポータブル・ドキュメント・フォーマット）形式を含むことを特徴とする請求項１に記載のスライド情報管理システム。
【請求項３】
説明用資料であるスライド情報を管理するスライド情報管理装置と、
前記スライド情報管理装置と通信可能な構成となっている説明者が所持する携帯端末装置と、を備えるスライド情報管理システムの制御方法であって、
前記携帯端末装置は、
各種情報を表示する表示部を有し、
各種情報を表示する表示部に表示されるスライド情報が、１画面毎の前記スライド情報として、独立して記憶される複数の前記スライド情報を有し、これらの前記スライド情報を任意に組み合わせることが可能な構成となっており、
前記スライド情報は、主な説明に用いられる主説明スライド情報と、前記主説明スライド情報に関連する情報である関連スライド情報としての文献スライド情報を有し、
複数の前記主説明スライド情報の表示順を選択し、記憶させると共に、複数の前記文献スライド情報の表示順を選択し、記憶させ、
前記主説明スライド情報毎に関連付ける複数の前記文献スライド情報をグループとして指定し、記憶し、
前記主説明スライド情報が表示順に前記表示部に表示されると、この前記主説明スライド情報と関連付けられている前記文献スライド情報の前記グループである参照グループのマークを当該主説明スライド情報に表示し、
前記主説明スライド情報の表示中に、前記マークが選択されると、前記関連付けられている前記参照グループの各前記文献スライド情報が、戻すマークと共に表示され、
前記戻すマークが選択されると、前記表示順に表示中であり、前記説明者が説明中であった直近の元の前記主説明スライド情報が、前記表示部に１画面の遷移で表示される構成となっていることを特徴とするスライド情報管理システムの制御方法。
【発明の詳細な説明】
【技術分野】
【０００１】
本発明は、例えば、営業担当者等が携帯する携帯端末を有するスライド情報管理システム及びスライド情報管理システムの制御方法に関するものである。
【背景技術】
【０００２】
従来、営業担当者の営業活動を支援する携帯端末装置が提案されている（例えば、特許文献１）。
このような携帯端末装置に提供される情報は、ＰＤＦ（「Ｐｏｒｔａｂｌｅ  Ｄｏｃｕｍｅｎｔ  Ｆｏｒｍａｔ」ポータブル・ドキュメント・フォーマット）等で提供されることが多い。これは、ＰＤＦ等が特定の環境に左右されずに全ての環境でほぼ同様の状態で文書や画像等を閲覧できるという特性を有するからである。
【先行技術文献】
【特許文献】
【０００３】
【特許文献１】特開２００５−２７５８２４号公報（図１等）
【発明の概要】
【発明が解決しようとする課題】
【０００４】
しかし、これらＰＤＦ等の形式で作成された資料は、その編集等に手間がかかり、特にかかるフォーマット等について詳しい知識等を有さない営業担当者にとっては、編集等は困難であった。
このため、各営業担当者は、自己の顧客毎に最適な営業資料を、ＰＤＦ等の資料を編集等して作成するとき、理論上はともかく、実際上は極めて困難であった。
そこで、営業担当者等が無理な編集等をする必要がないように資料を作成すると、資料作成に多大な労力等が必要であるのみならず、資料全体のデータ量が大きくなり携帯端末装置としては好ましくないという問題があった。
【０００５】
また、ＰＤＦ等のスライドの説明に関する関連文献等を携帯端末で共に説明するとき、主な説明のスライドから関連文献に画面を遷移させて説明する手法もよく用いられている。
しかし、この関連する文献等の説明の後、元の説明のスライドに画面を遷移させ難い場合が多く、その分、説明に不要な間隙が生じ、営業担当者等の顧客等に対する説明の効果が低下等するという問題もあった。
【０００６】
そこで、本発明は、営業担当者等の利用者が編集等をし易く、資料全体のデータ量が大きくならず、かつ、説明に不要な間隙が生ぜず、利用者の顧客等の相手方に対する説明の効果が低下しないスライド情報管理システム及びスライド情報管理システムの制御方法を提供することを目的とする。
【課題を解決するための手段】
【０００７】
前記課題は、本発明によれば、説明用資料であるスライド情報を管理するスライド情報管理装置と、前記スライド情報管理装置と通信可能な構成となっている説明者が所持する携帯端末装置と、を備えるスライド情報管理システムであって、前記携帯端末装置は、各種情報を表示する表示部を有し、前記表示部に表示される前記スライド情報が、１画面毎の前記スライド情報として、独立して記憶される複数の前記スライド情報を有し、これらの前記スライド情報を任意に組み合わせることが可能な構成となっており、前記スライド情報は、主な説明に用いられる主説明スライド情報と、前記主説明スライド情報に関連する情報である関連スライド情報としての文献スライド情報を有し、複数の前記主説明スライド情報の表示順を選択し、記憶させると共に、複数の前記文献スライド情報の表示順を選択し、記憶させ、前記主説明スライド情報毎に関連付ける複数の前記文献スライド情報をグループとして指定し、記憶し、前記主説明スライド情報が表示順に前記表示部に表示されると、この前記主説明スライド情報と関連付けられている前記文献スライド情報の前記グループである参照グループのマークを当該主説明スライド情報に表示し、前記主説明スライド情報の表示中に、前記マークが選択されると、前記関連付けられている前記参照グループの各前記文献スライド情報が、戻すマークと共に表示され、前記戻すマークが選択されると、前記表示順に表示中であり、前記説明者が説明中であった直近の元の前記主説明スライド情報が、前記表示部に１画面の遷移で表示される構成となっていることを特徴とするスライド情報管理システムにより達成される。
【０００８】
前記構成によれば、表示部に表示されるスライド情報が、１画面毎のスライド情報として、独立して記憶される複数のスライド情報を有し、これらのスライド情報を任意に組み合わせることが可能な構成となっている。
例えば、従来のＰＤＦ等のスライド情報は、複数のＰＤＦスライドが一つのまとまった単位として形成され、個々のＰＤＦスライドには分離困難な状態で記憶されていた。この場合は、営業担当者等の利用者が、これらのＰＤＦスライドの一部を切り取る等が行い難く、可能であっても複雑な操作が求められた。このため、各利用者が各顧客等に合ったＰＤＦスライド順の並び替え等の編集等が困難であった。
この点、前記構成では、スライド情報が、１画面毎のスライド情報として、独立して記憶される複数のスライド情報を有し、これらのスライド情報を任意に組み合わせることが可能な構成となっているので、利用者は複雑な操作等を求められることなく、容易にスライドの編集等を行うことができる。
【０００９】
また、前記構成によれば、スライド情報は、主な説明に用いられる主説明スライド情報と、主説明スライド情報に関連する情報である関連スライド情報を有し、関連スライド情報は、主説明スライドと関連付けて記憶することができる構成となっている。
従来は、ＰＤＦ等の各スライドが自由に並び替えや関連付けをすることができなかったため、ＰＤＦ等の主説明スライド情報のスライドに、関連スライド情報のスライドを関連付けるときは、各主説明スライド情報のスライド毎に、関連スライド情報のスライドを関連付けたセットを、主説明スライド情報毎に生成する必要があった。
したがって、同じ関連スライド情報と関連つける主説明スライドが複数あったときは、この主説明スライド毎に同じ関連スライド情報を関連付けて、そのセットを生成する必要があり、結果的に、携帯端末装置は、同じ関連スライド情報等を複数記憶しなければならず、データ量が大きくなっていた。
この点、前記構成では、スライド情報が、１画面毎のスライド情報として、独立して記憶される複数のスライド情報を有し、これらのスライド情報を任意に組み合わせることが可能な構成で、かつ、関連スライド情報は、主説明スライドと関連付けて記憶することができる構成となっている。
すなわち、前記構成では、主説明スライド情報と関連スライド情報を一つのセットとして形成する必要がなく、複数の主説明スライド情報と関連付ける１つの関連スライド情報という構成が可能となり、携帯端末装置に同じ関連スライド情報等を複数記憶させる必要がなく、その分、データ量を小さくすることができる。
【００１０】
また、前記構成では、関連スライド情報から１画面の遷移で、当該関連スライド情報と関連付けられている前記主説明スライド情報を前記表示部に表示させることができる。
したがって、利用者が、表示部に主説明スライド情報を表示し、その後、この主説明スライド情報と関連付けられている関連スライド情報を表示し、説明した後に、迅速に元の主説明スライド情報を表示部に表示させることができる。
このため、従来のように、関連スライド情報から元に主説明スライド情報への遷移に間隙等が発生しないので、主説明スライド情報の説明に不要な間隙が生ぜず、利用者の顧客等の相手方に対する説明の効果が低下せず、効果的な説明を行うことができる。
【００１１】
好ましくは、前記主説明スライド情報には、複数の前記参照グループのマークが同時に表示され、前記表示された前記複数の参照グループのマークのうち、選択された前記マークは、次回から他の前記マークより優先的に前記主説明スライド情報に表示され、前記スライド情報が、ＰＤＦ（「Ｐｏｒｔａｂｌｅ  Ｄｏｃｕｍｅｎｔ  Ｆｏｒｍａｔ」ポータブル・ドキュメント・フォーマット）形式を含むことを特徴とする。
【００１２】
【００１３】
前記目的は、本発明によれば、説明用資料であるスライド情報を管理するスライド情報管理装置と、前記スライド情報管理装置と通信可能な構成となっている説明者が所持する携帯端末装置と、を備えるスライド情報管理システムの制御方法であって、前記携帯端末装置は、各種情報を表示する表示部に表示されるスライド情報が、１画面毎の前記スライド情報として、独立して記憶される複数の前記スライド情報を有し、これらの前記スライド情報を任意に組み合わせることが可能な構成となっており、前記スライド情報は、主な説明に用いられる主説明スライド情報と、前記主説明スライド情報に関連する情報である関連スライド情報としての文献スライド情報を有し、複数の前記主説明スライド情報の表示順を選択し、記憶させると共に、複数の前記関連スライド情報の表示順を選択し、記憶させ、前記主説明スライド情報毎に関連付ける複数の前記文献スライド情報をグループとして指定し、記憶し、前記主説明スライド情報が表示順に前記表示部に表示されると、この前記主説明スライド情報と関連付けられている前記文献スライド情報である前記グループを参照グループのマークを当該主説明スライド情報に表示し、前記主説明スライド情報の表示中に、前記マークが選択されると、前記関連付けられている前記参照グループの各前記文献スライド情報が、戻すマークと共に表示され、前記戻すマークが選択されると、前記表示中であり、前記説明者が説明中であった直近の元の前記主説明スライド情報が、前記表示部に１画面の遷移で表示される構成となっていることを特徴とするスライド情報管理システムの制御方法により達成される。
【発明の効果】
【００１４】
本発明は、営業担当者等の利用者が編集等をし易く、資料全体のデータ量が大きくならず、かつ、説明に不要な間隙が生ぜず、利用者の顧客等の相手方に対する説明の効果が低下しないスライド情報管理システム及びスライド情報管理システムの制御方法を提供できるという利点がある。
【図面の簡単な説明】
【００１５】
【図１】本発明のスライド情報管理システムである例えば、医師説明用資料管理システムを示す概略図である。
【図２】図１の管理サーバの主な構成を示す概略ブロック図である。
【図３】図１に示すタブレット型端末の主な構成を示す概略ブロック図である。
【図４】図３の第１の各種情報記憶部の主な構成を示す概略ブロック図である。
【図５】図３の第２の各種情報記憶部の主な構成を示す概略ブロック図である。
【図６】ＭＲが、α医師に対して説明しようとするスライドの構成を示す概略説明図である。
【図７】ＭＲがβ医師に対して説明しようとするスライドの構成と示す概略説明図である。
【図８】医師説明用資料管理システムの動作例を示す概略フローチャートである。
【図９】医師説明用資料管理システムの動作例を示す他の概略フローチャートである。
【図１０】医師説明用資料管理システムの動作例を示す他の概略フローチャートである。
【図１１】医師説明用資料管理システムの動作例を示す他の概略フローチャートである。
【図１２】医師説明用資料管理システムの動作例を示す他の概略フローチャートである。
【発明を実施するための形態】
【００１６】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１７】
図１は、本発明のスライド情報管理システムである例えば、医師説明用資料管理システム１を示す概略図である。
図１に示すように、医師説明用資料管理システム１は、ＰＤＦ等のスライド情報で作成された医師説明用資料を管理する情報管理装置である例えば、管理サーバ３を有する。この管理サーバ１０は，例えば、製薬会社４が所有している。
また、同システム１は、携帯端末装置である例えば、タブレット型端末２０を有している。このタブレット型端末２０は、製薬会社４の各ＭＲ（医療情報担当者）が所持し、病院等の医師等に面会し、医療情報を提供する際に用いられる端末である。
【００１８】
タブレット型端末２０は、図１に示すように、その中央部に縦長の長方形を成す「タッチパネル型ディスプレイ２１」を有している。タッチパネルは、表示部である例えば、ディスプレイと、位置入力装置を組み合わせた電子部品であり、ディスプレイ上の表示に利用者が触れることで各種情報を入力できる入力装置である。
また、タブレット型端末２０は、タッチパネル型ディスプレイ２１以外に、入力ボタン２２を有している。
なお、タブレット型端末２０は、図１に示すように、製薬会社４が管理する管理サーバ１０と通信可能な構成となっている。
【００１９】
上述のタブレット型端末２０及び管理サーバ１０は、コンピュータを有し、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バス等を介して接続されている。
【００２０】
図２は、図１の管理サーバ１０の主な構成を示す概略ブロック図である。図２に示すように、管理サーバ１０は、「医師説明用資料データベース１１」を有している。
この医師説明用資料データベース１１は、例えば、図２に示すように、「循環器系医師説明用資料データ」を有し、このデータは「高血圧の基礎説明スライド」として、例えば、ＰＤＦ等から成る主スライド情報である例えば、「説明スライドＮｏ．１〜４」を有している。
また、「基礎説明スライドの関連文献」として、説明スライドＮｏ．１〜４に関連する関連スライド情報である例えば、「文献スライドＮｏ．１０１〜１０８」有している。
【００２１】
また、医師説明用資料データベース１１には、「高血圧の症例等の一般的症例説明スライド」として、「説明スライドＮｏ．１１〜１４」を有し、「一般的症例説明スライドの関連文献」として、「文献スライドＮｏ．１１１〜１１４」を有している。
さらに、医師説明用資料データベース１１には、「治療薬の一般的治療薬説明スライド」として、「説明スライドＮｏ．２１〜２４」を有し、「一般的治療薬説明スライドの関連文献」として、「文献スライドＮｏ．１２１〜１２４」を有している。
【００２２】
また、管理サーバ１０は「サーバ制御部１２」を有し、サーバ制御部１２は、医師説明用資料データベース１１を制御する他、図２に示す、タブレット型端末２０と通信するための「サーバ側通信装置１３」、各種情報を表示する「サーバ側ディスプレイ１４」及び「サーバ側入力装置１５」を制御する構成となっている。
【００２３】
図３は、図１に示すタブレット型端末２０の主な構成を示す概略ブロック図である。
図３に示すように、タブレット型端末２０は、「端末制御部２３」を有すると共に、端末制御部２３は、図１に示す「タッチパネル型ディスプレイ２１」及び「入力ボタン２２」を制御すると共に、図１の管理サーバ１０等と通信するための「端末側通信装置２４」も制御している。
また、端末制御部２３は、図３に示す「第１の各種情報記憶部３０」及び「第２の各種情報記憶部４０」も制御する。
【００２４】
図４及図５は、図３の第１の各種情報記憶部３０及び第２の各種情報記憶部４０の主な構成を示す概略ブロック図である。これらの内容については、後述する。
【００２５】
本実施の形態では、例えば、製薬会社４のＭＲ（医療情報担当者）が、図１のタブレット型端末２０を使用して、病院の循環器の２人の医師（α医師、β医師）に対して、医療情報の提供を行う例を用いて、以下、説明する。
【００２６】
図６は、ＭＲが、α医師に対して説明しようとするスライドの構成を示す概略説明図である。α医師は、研修医であるため、比較的基本的な説明に重点をおいて説明する構成となっている。
すなわち、ＭＲは、タブレット型端末２０のタッチパネル型ディスプレイ２１に以下のようなスライド情報である例えば、スライドを表示させるように考えている。
【００２７】
図７は、ＭＲがβ医師に対して説明しようとするスライドの構成と示す概略説明図である。β医師は、医長であるため、基本的な説明は省き、症例や治療薬の説明に重点をおいて説明する構成となっている。
【００２８】
図８乃至図１２は、医師説明用資料管理システム１の動作例を示す概略フローチャートである。
図８のステップＳＴ（以下「ＳＴ」とする。）１で、ＭＲは、図１の自己のタブレット型端末２０を使用し、管理サーバ１０と通信する。そして、管理サーバ１０内の「医師説明用資料データベース１１」から「循環器系医師用説明資料データ」の全部又は一部を、自己のタブレット型端末２０に取得し、図４に示すタブレット型端末２０の「医師説明用資料記憶部３１」に記憶させる。
これにより、タブレット型端末２０は、その後、管理サーバ１０と通信することなく、オフラインで、各医師に対する医師説明用資料を生成し、これらの情報をタッチパネル型ディスプレイ２１に表示して、各医師に説明することができる。
このように、オフラインで、タブレット型端末２０だけて説明することができるので、極めて使い易いシステムとなっている。
【００２９】
図９は、α医師向けの医師説明用資料作成工程を示す概略フローチャートである。
ＭＲは、図６に示す説明をするためのスライドの準備を図９の工程で行う。
先ず、図９のＳＴ１１では、タッチパネル型ディスプレイ２１に、医師説明用資料記憶部３１内のＰＤＦ等の説明スライドＮｏ．１〜４、１１〜１４、２１〜２４を選択表示し、必要な説明スライドとその表示順を選択する。
例えば、図６で使用する説明スライドである「説明スライドＮｏ．１〜４、１１、１２及び２１」を選択し、α医師用説明スライド記憶部３２に記憶させる。
【００３０】
次いで、ＳＴ１２へ進む。ＳＴ１２では、タッチパネル型ディスプレイ２１に、医師説明用資料記憶部３１内のＰＤＦ等の「文献スライドＮｏ．１０１〜１０８、１１１〜１１４、１２１〜１２４」を表示し、必要な文献スライドとその表示順を選択する。
例えば、文献スライドＮｏ．１０１〜１０８、１１１、１１２及び１２１をその順番に表示するように選択し、「α医師用文献スライド記憶部３３」に記憶させる。
【００３１】
次いで、ＳＴ１３へ進む。ＳＴ１３では、α医師用説明スライド記憶部３３の説明スライドと関連付ける文献スライドのグループを指定して記憶する。
例えば、図６の場合、説明スライドＮｏ．３と参照グループ１（文献スライドＮｏ．１０５〜１０８）と参照グループ２（文献スライドＮｏ．１０１〜１０４）が関連付けられて「α医師説明資料関連情報記憶部３４」に記憶される。
また、説明スライドＮｏ．１１と参照グループ（文献スライドＮｏ．１１１及び１１２）を関連付けると共に、説明スライドＮｏ．２１と参照グループ（文献スライドＮｏ．１２１）とを関連つけて、α医師説明資料関連情報記憶部３４に記憶する。
【００３２】
このように、本実施の形態では、説明スライドや文献スライドが、１画面で表示する説明スライドＮｏ．１等毎に独立して記憶されているので、スライド毎に選択し、任意の順番にスライドの表示順を定めることができる。
また、説明スライドと文献スライドの関連付けも、スライド毎に任意に行うことができるので、かかる操作をタブレット型端末２０で行うＭＲ等の利用者にとって極めて使い易いシステムとなっている。
特に、スライドのＰＤＦフォーマット等について詳しい知識がないＭＲであっても、容易に操作できる。
【００３３】
図１０は、β医師向けの医師説明用資料作成工程を示す概略フローチャートである。
ＭＲは、図７に示す説明をするためのスライドの準備を図１０の工程で行う。
先ず、ＳＴ２１では、タッチパネル型ディスプレイ２１に、図４の医師説明用資料記憶部３１内のＰＤＦ等の説明スライドＮｏ．１〜４、１１〜１４、２１〜２４を表示し、必要な説明スライドとその表示順を選択する。
例えば、説明スライドＮｏ．１１〜１４、２１〜２４をその順番に表示するように選択し、「β医師用説明スライド記憶部３５」に記憶させる。
【００３４】
次いで、ＳＴ２２へ進む。ＳＴ２２では、タッチパネル型ディスプレイ２１に、医師説明用資料記憶部３１内のＰＤＦ等の文献スライドＮｏ．１０１〜１０８、１１１〜１１４、１２１〜１２４を表示し、必要な文献スライドとその表示順を選択する。
例えば、図７で使用する「文献スライドＮｏ．１１１〜１１４、１２１〜１２４」をその順番に表示するように選択し、「β医師用文献スライド記憶部３６」に記憶させる。
【００３５】
次いで、ＳＴ２３へ進む。ＳＴ２３では、説明スライドと関連付ける文献スライドのグループを指定して記憶する。
例えば、説明スライドＮｏ．１１と参照グループ（文献スライドＮｏ．１１１〜１１４）を関連付けて「β医師説明資料関連情報記憶部３７」に記憶する。また、説明スライドＮｏ．２１と参照グループ（文献スライドＮｏ．１２１〜１２４）を関連付けて、β医師説明資料関連情報記憶部３７に記憶する。
【００３６】
このように，本実施の形態では、α医師用の説明スライド及びその関連付ける文献スライドとβ医師用の説明スライドとその関連付ける文献スライドが異なっていても、従来のように、それぞれ、別個のスライドセット等を作成する必要がなく、一つの説明スライド及び一つ文献スライドは、それぞれ、両医師用のスライドに利用することができる。
したがって、従来と比べ、タブレット型端末２０の記憶させるデータ量を小さくすることができる。
【００３７】
図１１及び図１２は、α医師との面会中にタブレット型端末２０に図６に示すスライド等を表示させる工程を示す概略フローチャートである。
なお、β医師に対する説明用の図７のスライドの表示については、α医師の場合とほほ同様であるため、説明を省略する。
先ず、ＭＲは、自己のタブレット型端末２０のスイッチを入れる。そして、ＳＴ３１では、タッチパネル型ディスプレイ２１に説明スライド記憶部の選択画面が表示され、ＭＲが操作して「α医師用説明スライド記憶部３２」を選択する。
【００３８】
すると、ＳＴ３２へ進む。ＳＴ３２では、図５の「表示スライド特定部（プログラム）４１」が動作し、「α医師用説明スライド記憶部３２」の「説明スライド」の表示順に従い「表示スライド」を特定する。
具体的には、図６に示すように「説明スライドＮｏ．１」がタッチパネル型ディスプレイ２１に表示される。
次いで、ＳＴ３３へ進む。ＳＴ３３では、図５の「関連情報判断部（プログラム）４２」が動作し、表示される説明スライドに「参照グループ」が関連つけられているか否かを判断する。
具体的には、図４のα医師説明資料関連情報記憶部３４を参照して判断する。
「スライドＮｏ．１」には、表示グループが関連付けられていないので、ＳＴ３４へ進む。
【００３９】
ＳＴ３４では、表示される説明スライドがそのまま表示される。
次いで、ＳＴ３５へ進む。ＳＴ３５では、スライド変更指示がタッチパネル型ディスプレイ２１を介して入力されたか否かが判断され、入力された場合は、ＳＴ３２へ進み、図６に示すように「説明スライドＮｏ．２」が表示される。
このようにして、「説明スライドＮｏ．３」が表示されたときは、ＳＴ３３で、「参照グループ」が関連付けられていると判断し、ＳＴ３６へ進む。
ＳＴ３６では、図６に示すように、参照グループ１に対応する「参照１」、参照グループ２に対応する「参照２」のマークを、「説明スライドＮｏ．３」上に表示する。
【００４０】
次いで、ＳＴ３７へ進む。ＳＴ３７では、「説明スライドＮｏ．３」上の「参照１」又は「参照２」にＭＲが触れて、クリックされたか否かが判断される。
ＳＴ３７で、例えば、「参照１」がクリックされると、図１２のＳＴ３８へ進む。
ＳＴ３８では、図５の「文献スライド表示部（プログラム）４３」が動作し、「α医師説明資料関連情報記憶部３４」及び「α医師用文献スライド記憶部３３」を参照し、「表示スライド（参照グループ１（文献スライドＮｏ．１０５〜１０８、１１１、１１２、１２１）」を「α医師用文献スライド記憶部３３」の文献スライドの表示順に従い特定し、「ＢＡＣＫ」マークを付して表示する。
すなわち、図６に示すように、最初に「文献スライドＮｏ．１０５」を表示し、同時に「ＢＡＣＫ」マークも表示する。
【００４１】
次いで、ＳＴ３９へ進む。ＳＴ３９では、「ＢＡＣＫ」マークに触れて、クリックされたか否かを判断する。ＳＴ３９で「ＢＡＣＫ」マークがクリックされていないと判断されたときは、ＳＴ４０へ進む。
ＳＴ４０では、スライド変更指示が入力された否かが判断され、スライド変更指示がタッチパネル型ディスプレイ２１から入力されると、ＳＴ３８へ進み、図６の次の「文献スライドＮｏ．１０６」が「ＢＡＣＫ」マーク付きで表示される。
【００４２】
このように、文献スライドが順に表示され、図６の「文献スライドＮｏ．１０８」が「ＢＡＣＫ」マーク付きで表示され、ＳＴ３９で「ＢＡＣＫ」マークがクリックされたときは、ＳＴ４１へ進む。
ＳＴ３９及びＳＴ４１では、図５の「ＢＡＣＫマーク実行部（プログラム）４４」が実行され、「ＢＡＣＫ」マークをクリックしたと判断したときは、α医師説明資料関連情報記憶部３４を参照し、当該参照グループ、上述の例では参照グループ１が関連付けられている説明スライドである「説明スライドＮｏ．３」を特定し、次の画面で当該説明スライドである「説明スライドＮｏ．３」をタッチパネル型ディスプレイ２１に表示する。
【００４３】
したがって、ＭＲが「説明スライドＮｏ．３」の説明中に、関連文献である「文献スライドＮｏ．１０５」から「文献スライドＮｏ．１０８」の説明を行ったときでも、「文献スライドＮｏ．１０８」の「ＢＡＣＫ」マークをクリックするだけで、次の画面で、「説明スライドＮｏ．３」に迅速に戻すことができる。
このため、従来にように、文献スライドから説明スライドへの遷移に時間がかかり、その分、ＭＲの説明が中断し、説明の効果が低下する等の弊害の発生を未然に防止することができる。
すなわち、文献スライドの説明から迅速に、元の説明スライドに画面を戻すことができ、この元の説明スライドへ戻すことは、図６の「文献スライドＮｏ．１０５」〜「文献スライドＮｏ．１０８」のいずれでも可能である。
したがって、ＭＲは、α医師の反応を見ながら任意のタイミングで「ＢＡＣＫ」マークをクリックすることで、いつでも元の説明スライドである「説明スライドＮｏ．３」に迅速に戻ることができる。
【００４４】
また、図６に示すように、一つの「説明スライドＮｏ．３」に複数の参照グループを関連付けて、それぞれのグループへ遷移する「参照」マークを形成することもできる。
この場合、ＭＲが説明対象の医師の反応を見て、いずれか好ましい方を適宜選択することができる。
また、本実施の形態と異なり、この選択された「参照」マーク、例えば、「参照２」のマークが選択された場合、その事実を記憶し、次回、「参照２」の文献スライドを優先的に表示させるため、「参照２」を「参照１」に変更させ、ＭＲのその事実を報知させる構成とすることもできる。
【００４５】
ＳＴ４１の次に、ＳＴ４２へ進む。ＳＴ４２では、図６の「説明スライドＮｏ．３」の次の説明スライドである「説明スライドＮｏ．４」が、タッチパネル型ディスプレイ２１に表示される。
このようにして、図６の全て説明スライド、説明スライドＮｏ．２１まで表示されるとＭＲのα医師への説明が終了する。
【００４６】
また、図７のβ医師への説明も同様に行われる。
なお、本発明は上述の実施の形態に限らない。例えば、ＭＲ用ではなく、「新店舗出店に伴う資料の提示とシミュレーション」等の説明にも適用することができる。
すなわち特定の地域特性、集客シミュレーション、店舗計画及び借入資金のシミュレーションという説明スライドに対し、詳細シミュレーション画面（顧客の現預金データ等）を文献スライドとして表示させることもできる。
【符号の説明】
【００４７】
１・・・医師説明用資料管理システム、４・・・製薬会社、１０・・・管理サーバ、１１・・・医師説明用資料データベース、１２・・・サーバ制御部、１３・・・サーバ側通信装置、１４・・・サーバ側ディスプレイ、１５・・・サーバ側入力装置、２０・・・タブレット型端末、２１・・・タッチパネル型ディスプレイ、２２・・・入力ボタン、２３・・・端末制御部、２４・・・端末側通信装置、３０・・・第１の各種情報記憶部、３１・・・医師説明用資料記憶部、３２・・・α医師用説明スライド記憶部、３３・・・α医師用文献スライド記憶部、３４・・・α医師説明資料関連情報記憶部、３５・・・β医師用説明スライド記憶部、３６・・・β医師用文献スライド記憶部、３７・・・β医師説明資料関連情報記憶部、４０・・・第２の各種情報記憶部、４１・・・表示スライド特定部（プログラム）、４２・・・関連情報判断部（プログラム）、４３・・・文献スライド表示部（プログラム）、４４・・・ＢＡＣＫマーク実行部（プログラム）
【図１】
2019075158.tif 000003
【図２】
2019075158.tif 000004
【図３】
2019075158.tif 000005
【図４】
2019075158.tif 000006
【図５】
2019075158.tif 000007
【図６】
2019075158.tif 000008
【図７】
2019075158.tif 000009
【図８】
2019075158.tif 000010
【図９】
2019075158.tif 000011
【図１０】
2019075158.tif 000012
【図１１】
2019075158.tif 000013
【図１２】
2019075158.tif 000014